(57)【要約】【課題】コストを抑えて付録物を書類とともに送付できる包装体を提供する。【解決手段】面状の被覆片６と被覆片６の縁部に亘り形成された折返片７Ａ〜７Ｄとからなり、少なくとも１辺にフラップ３により閉じられる開口４を備えた封筒２の表面または裏面に、折返片７Ａ〜７Ｄを貼着させることで、折返片７Ａ〜７Ｄにより囲まれた内側に付録物を配置可能とした。【選択図】図３
2019099219.tif 000002
【特許請求の範囲】
【請求項１】
面状の被覆片と該被覆片の縁部に亘り形成された折返片とからなり、
少なくとも１辺にフラップにより閉じられる開口を備えた封筒の表面または裏面に、前記折返片を貼着させることで、前記折返片により囲まれた内側に付録物を配置可能としたことを特徴とする包装体。
【請求項２】
前記折返片は複数に分割されて形成されており、複数の折返片同士を組み合わせることで前記被覆片の裏面の全面に対向する保持面部が構成されることを特徴とする請求項１に記載の包装体。
【請求項３】
前記複数の折返片同士はそれぞれが係合状態で組み合わせ可能であることを特徴とする請求項２に記載の包装体。
【請求項４】
前記被覆片には、ミシン目により区画された開封部が形成されていることを特徴とする請求項１ないし３のいずれかに記載の包装体。
【請求項５】
前記包装体は、前記封筒の裏面に前記フラップに前記被覆片が一部重なるように貼着されることを特徴とする請求項１ないし４のいずれかに記載の包装体。
【発明の詳細な説明】
【技術分野】
【０００１】
本発明は、付録物を書類とともに送付できる包装体に関する。
【背景技術】
【０００２】
商品やサービスなどを消費者に伝える広告手段として、カタログ等の書類を封筒に入れて配送するダイレクトメールという手法が利用されている。しかしながら、多くの企業がダイレクトメールを利用すると、一人の消費者が受け取るダイレクトメールの数が多くなり、内容を見ないで廃棄されるものが少なくない。そのため、開封率を向上させる工夫を施すことが必要とされている。
【０００３】
例えば、特許文献１のように、封筒内にサンプル品等の付録物を同封し、その旨を封筒の表面に表記することで、封筒の開封率を向上させる試みが多く行われている。
【先行技術文献】
【特許文献】
【０００４】
【特許文献１】特開２０１５−２４８３５号公報（第４頁、第５図）
【発明の概要】
【発明が解決しようとする課題】
【０００５】
カタログ等の書類は、小型のものから大判のサイズのものもあるため、書類のサイズに応じて種々の大きさの封筒が利用される。しかしながら、特許文献１のような封筒にあっては、付録物を同封するために特殊な形状となっており、種々の大きさの封筒を用意するにはコスト高となるという問題がある。また、会社のオリジナルの封筒である場合、住所変更や販売企画等に応じて封筒に印刷されるデザインの変更も考えられ、その度に上記したような特殊な形状の封筒を作成する必要があり、このような観点からもコスト高となる虞がある。
【０００６】
本発明は、このような問題点に着目してなされたもので、コストを抑えて付録物を書類とともに送付できる包装体を提供することを目的とする。
【課題を解決するための手段】
【０００７】
前記課題を解決するために、本発明の包装体は、
面状の被覆片と該被覆片の縁部に亘り形成された折返片とからなり、
少なくとも１辺にフラップにより閉じられる開口を備えた封筒の表面または裏面に、前記折返片を貼着させることで、前記折返片により囲まれた内側に付録物を配置可能としたことを特徴としている。
この特徴によれば、包装体の折返片を封筒の表面または裏面に固定することで、付録物を包むことができ、封筒の内部に封入した書類とともに付録物を消費者に送付することができる。包装体は封筒と別体に形成されることから、種々のサイズの封筒に適用でき、コストを抑えることができる。
【０００８】
前記折返片は複数に分割されて形成されており、複数の折返片同士を組み合わせることで前記被覆片の裏面の全面に対向する保持面部が構成されることを特徴としている。
この特徴によれば、被覆片と保持面部との間に包まれた付録物が、折返片と封筒との貼着部分に接することがなく、付録物の破損を防止できる。
【０００９】
前記複数の折返片同士はそれぞれが係合状態で組み合わせ可能であることを特徴としている。
この特徴によれば、折返片同士を係合させることで保持面部の形状を保持できるため、包装体が単体で付録物を保持でき、包装体と封筒との貼着作業が容易となる。
【００１０】
前記被覆片には、ミシン目により区画された開封部が形成されていることを特徴としている。
この特徴によれば、ミシン目を破断することで包装体を開封し易く、消費者による包装体の開封率を高めることができる。
【００１１】
前記包装体は、前記封筒の裏面に前記フラップに前記被覆片が一部重なるように貼着されることを特徴としている。
この特徴によれば、封筒のフラップが一部隠れることで開封し易い包装体に消費者の注意を引くことができ、包装体の開封率が高まり、付録物への関心を利用して結果的に封筒を開封する可能性を高めることができる。
【図面の簡単な説明】
【００１２】
【図１】本発明の実施例における包装体と封筒を示す斜視図である。
【図２】封筒を示す斜視図である。
【図３】包装体を示す展開図である。
【図４】（ａ）から（ｃ）は、包装体の組み立て手順を示す図である。
【図５】折返片同士を係合状態として保持面部の形状が保持された状態を示す図である。
【図６】包装体を封筒の裏面に貼着させた状態を示す図である。
【図７】包装体の封入される内容物を示す図である。
【図８】ＶＲゴーグルとスマートフォンを示す図である。
【図９】対応表を示す図である。
【図１０】早見表を示す図である。
【図１１】二次元バーコードを付す際の変形例を示す図である。
【発明を実施するための形態】
【００１３】
本発明に係る包装体を実施するための形態を実施例に基づいて以下に説明する。
【実施例】
【００１４】
実施例に係る包装体につき、図１から図１１を参照して説明する。以下、図３の紙面上下左右方向を包装体の上下左右方向として説明する。
【００１５】
図１に示されるように、包装体１は封筒２に貼着されて封筒２とともに消費者に配送されるものである。
【００１６】
図２に示されるように、本実施例における封筒２は、少なくとも１辺にフラップ３により閉じられる開口４を備え、図示しない表面には、送り先の住所を記載可能となっている定形規格サイズの封筒である。
【００１７】
包装体１は、１枚の紙片５から構成されている。紙片５は、矩形状を成す折辺５ａ〜５ｄにより折辺５ａ〜５ｄの内側が被覆片６に、折辺５ａ〜５ｄの外側がそれぞれ折返片７Ａ〜７Ｄに区画されている。
【００１８】
折返片７Ａは、略矩形状の片本体８に、被覆片６方向に凹む略コ字状の切欠９が形成されて略凹形状に構成されている。折返片７Ａを区画する折辺５ａから切欠９の底辺９ａまでの寸法は、被覆片６の左右方向の寸法の略半分となっている。
【００１９】
折返片７Ｂは、被覆片６と反対方向に向けて窄む略二等辺三角形状の頂点側に略矩形状の係合片部１０が組み合わせられたような形状となっている。係合片部１０の上下寸法は、折返片７Ａに形成された切欠９の底辺９ａの上下寸法と略同寸に形成されている。折返片７Ｂを区画する折辺５ｂから係合片部１０の折辺５ｂ側の端部１０ａとの距離は、被覆片６の左右方向の寸法の略半分となっている。
【００２０】
折返片７Ｃは、被覆片６と反対方向に頂点側が位置する略直角三角形状の頂点側に略矩形状の係合片部１１が組み合わせられたような形状となっている。係合片部１１の左右寸法は、被覆片６の左右方向の寸法の略半分となっている。尚、折返片７Ｄは、折返片７Ｃの上下対称形状であるため、詳細な構成の説明は省略する。
【００２１】
次に包装体１の組み立て手順を説明する。図４（ａ）から（ｃ）に示されるように、折返片７Ａ、折返片７Ｃ及び折返片７Ｄ、折返片７Ｂの順に折り重ね、図５に示されるように、折返片７Ｂの係合片部１０を折返片７Ａの切欠９と折返片７Ｃ及び７Ｄの係合片部１１，１１との間に形成された隙間１３から内側に差し込むことで、折返片７Ａ〜７Ｄを係合状態で組み合わせることができる。
【００２２】
このように折返片７Ａ〜７Ｄを係合状態で組み合わせることで、折返片７Ａ〜７Ｄにより被覆片６と同輪郭の形状であり、被覆片６の裏面６ａ（図３参照）と全面に対向する保持面部１２を構成することができる。
【００２３】
また、折返片７Ｂの係合片部１０を折返片７Ａの切欠９と折返片７Ｃ及び７Ｄの係合片部１１，１１との間に形成された隙間１３から内側に差し込むことで、折返片７Ａ〜７Ｄが折り重ねられた状態、即ち保持面部１２の形状を保持可能となっている。更に、被覆片６と保持面部１２との間に配置した付録物を包装体１単体で保持することができ、後述する包装体１と封筒２とを貼り合わせる作業が容易となる。
【００２４】
図４に示されるように、折返片７Ａ〜７Ｄの外面７ｅ〜７ｇには、それぞれ折る順番を示す表示１４Ａ〜１４Ｃがそれぞれ印刷されている。
【００２５】
また、図４に示されるように、折返片７Ａ〜７Ｄの外面７ｅ〜７ｇには、折辺５ａ〜５ｄ側に、折辺５ａ〜５ｄと平行に複数本の折線１５がそれぞれ印刷されていている。これによれば、折返片７Ａ〜７Ｄを折線１５で折り曲げることで、封入する付録物の厚みに応じて組立時の包装体１の厚みを調整することができる。
【００２６】
図６に示されるように、包装体１は、保持面部１２が封筒２の裏面２ａに重ねられて貼着される。詳しくは、図５に示されるように、保持面部１２の上下左右の４辺にそれぞれ両面テープ４０を貼り付け、包装体１と封筒２の裏面２ａとが貼り合わせられる。保持面部１２を構成する折返片７Ａ〜７Ｄは、封筒２への貼着により、移動がそれぞれ規制され、それぞれの係合状態が保持される。
【００２７】
図６に示されるように、被覆片６には、被覆片６を貫通するミシン目１６が形成されている。ミシン目１６は、折返片７Ａ側の折辺５ａの上下方向の略中央に当該折辺５ａに沿って形成される縦辺１７と、縦辺１７の上下端から折辺５ｂ方向に延びる第１横辺１８，１８と、第１横辺１８，１８の端部より折辺５ｃ，５ｄに交わるように斜めに伸びる斜辺１９，１９と、斜辺１９，１９の端部より折辺５ｂに交わるまで折辺５ｃ，５ｄに沿って延びる第２横辺２０，２０とから構成されている。
【００２８】
このミシン目１６により被覆片本体６ｂと開封部２１とが区画されている。縦辺１７と第１横辺１８，１８とにより開封部２１における把持部２２が形成されている。縦辺１７は、第１横辺１８，１８まで連続するスリットであり、第１横辺１８，１８の縦辺１７と交わる部分のスリットは、縦辺１７を構成するスリットと連続している。つまり、開封部２１における把持部２２は略コ字状のスリットにより被覆片本体６ｂから予め切り離されており、把持部２２を把持し易くなっている。把持部２２の外面には、開封部２１の始まりを示す表示２３が印刷されている。
【００２９】
被覆片６における開封部２１には、開封部２１を貫通する窓部２４が形成されており、この窓部２４から包装体１の内側に配置された付録物を視認できる。
【００３０】
上記したように、包装体１の折返片７Ａ〜７Ｄを封筒２の裏面２ａに固定することで、付録物を包むことができ、封筒２の内部に封入した書類とともに付録物を消費者に送付することができる。また、包装体１は封筒２と別体に形成されることから、種々のサイズの封筒に適用でき、コストを抑えることができる。
【００３１】
また、折返片７Ａ〜７Ｄ同士を組み合わせることで被覆片６の裏面６ａの全面に対向する保持面部１２が構成されるため、被覆片６と保持面部１２との間に包まれた付録物が、折返片７Ａ〜７Ｄと封筒２とを貼り合わせる両面テープ４０の接着層に接することがなく、付録物の破損を防止できる。
【００３２】
また、被覆片６には、ミシン目１６により区画された開封部２１が形成されているため、包装体１はミシン目１６を破断することで開封し易く、かつミシン目１６を視認できることで消費者による包装体１の開封率を高めることができる。ここでは図示しないが、開封部２１の裏面には付録物の使用方法等の説明文が印刷されている。
【００３３】
また、包装体１は、折返片７Ａ〜７Ｄを展開することで被覆片６の裏面６ａの全面を露出させることができるため、被覆片６の縦横寸法内に収まる範囲で、大きな付録物を容易に封入させることができる。
【００３４】
また、包装体１は、封筒２の裏面２ａにフラップ３に被覆片６が一部重なるように貼着され、封筒２のフラップ３が一部隠れることで開封し易い包装体１に消費者の注意を引くことができ、包装体１の開封率が高まり、付録物への関心を利用して結果的に封筒２を開封する可能性を高めることができる。
【００３５】
また、包装体１は少なくとも貼着の対象となる最小の封筒（例えばＡ４）の縦横寸法に比べて小さく形成されている。そのため、例えば郵便で配送する場合にはポストの投函口に入れることができ、定形外郵便で配送可能となっている。
【００３６】
また、包装体１は保持面部１２の上下左右の４辺を封筒２の裏面２ａに両面テープ４０により貼り合わせられるため、包装体１と封筒２とを強固に固定し、配送時に剥がれる心配がなく配送先に確実に配達させることができる。
【００３７】
また、包装体１は保持面部１２の上下左右の４辺を封筒２の裏面２ａに両面テープ４０により貼り合わせられるため、配送中における包装体１と封筒２との間に対する他の手紙の侵入を防止することができる。
【００３８】
続いて図７から図１０を用いて、上記した包装体１の利用態様について説明する。
上述したように、ミシン目１６を破断することで包装体１を開封し易く、消費者による包装体１の開封率を高めることができる効果を利用して、以下のようなサービスにおいて効果的な活用ができる。
【００３９】
図７に示されるように、包装体１の中には、付録物として折りたたみ式のＶＲ（バーチャルリアリティ）ゴーグル３０がクリアファイル３１に入れられて封入される。
【００４０】
図８に示されるように、組み立てられたＶＲゴーグル３０は、スマートフォン３２を取り付け可能であり、かつ図示しないレンズ３３，３３を２つ有しており、ＶＲゴーグル３０を装着した消費者がスマートフォン３２の画面に表示される全天球画像を立体視できるようになっている。
【００４１】
消費者は、スマートフォン３２により二次元バーコードを読み取り、二次元バーコードに対応する固有のＵＲＬにアクセスすることで、当該ＵＲＬに対応するサーバから送られる全天球画像をスマートフォン３２の画面に表示可能となる。
【００４２】
また、ＶＲゴーグル３０には、固有の二次元バーコード３４が印刷されており、全天球画像を配布するサーバでは、当該二次元バーコード３４に対応する全天球画像がスマートフォン３２にて視聴されたか否かを判定できるようになっている。
【００４３】
詳しくは、全天球画像を配布するサーバを利用する管理者は、固有のＵＲＬと消費者の個人情報とを紐付けた対応表３５を備えている（図９参照）。消費者の個人情報は、例えば氏名，住所，電話番号等である（図９では氏名と住所のみを例示）。
【００４４】
サービスの提供者は、対応表３５内に記憶された特定の氏名，住所を封筒２の送り先に記載し、対応表３５にて当該氏名，住所に対応する固有のＵＲＬを示す二次元バーコードをＶＲゴーグル３０に印刷する。
【００４５】
仮に、当該ＶＲゴーグル３０が封入された包装体１が封筒２に記載された送り先に届いた後、消費者が包装体１の中身に興味を示し、包装体１を開封し、ＶＲゴーグル３０を利用したとする。この場合、消費者はスマートフォン３２によりＶＲゴーグル３０に印刷された二次元バーコード３４を読み取り、二次元バーコード３４に対応する固有のＵＲＬにアクセスすることになる。
【００４６】
二次元バーコード３４に対応する固有のＵＲＬに外部からアクセスがあると、サービスを提供するサーバは、対応表３５を照会して当該固有のＵＲＬに対応する消費者の個人情報を割り出す。これによれば、サーバは、どの消費者がＵＲＬにアクセスしたか、すなわち包装体１を開封し、ＶＲゴーグル３０を利用して全天球画像を視聴したかを判断することができる。
【００４７】
そして、サーバは図１０に示すような早見表３６に、消費者の個人情報と対応させて包装体１の開封の有無を表示する。サービスの提供者は、この早見表３６を参照することで、消費者毎に包装体１の開封の有無を示す情報を得られる。こうして得られた情報を広告効果の算定及び販促に有効に利用することができる。
【００４８】
また、ＶＲゴーグル３０は主に紙を組み立てて構成されており、折り畳むことで薄板状にすることができる。そのため、このＶＲゴーグル３０を封入した包装体１を封筒２に貼着させた際の全体の厚み寸法を小さくでき、例えば郵便で配送する場合にはポストの投函口に入れることができ、定形外郵便で配送可能となっている。
【００４９】
尚、二次元バーコード３４はＶＲゴーグル３０に直接印刷される態様に限らず、例えばシール等に印刷してＶＲゴーグル３０に貼着させてもよい。これによれば、固有の二次元バーコードを別体とすることでＶＲゴーグル３０は全て同じ印刷で作成でき、コストを抑えることができる。
【００５０】
また、図１１に示されるように、二次元バーコードを印刷したシール３７は包装体１の開封部２１の裏面に貼着されてもよい。シール３７は被覆片６における開封部２１の裏面の略中央に貼着されており、開封した消費者がシール３７を視認し易い。
【００５１】
このように消費者がシール３７を視認し易いように、シール３７が被覆片６における開封部２１の裏面の略中央に貼着されることが好ましく、この点で本実施例の包装体１は、折返片７Ａ〜７Ｄを展開することで被覆片６の裏面６ａの全面を露出させることができるため、シール３７を開封部２１の裏面の略中央の所定位置かつ見やすい角度に、容易に貼着させることができる。
【００５２】
以上、本発明の実施例を図面により説明してきたが、具体的な構成はこれら実施例に限られるものではなく、本発明の要旨を逸脱しない範囲における変更や追加があっても本発明に含まれる。
【００５３】
例えば、前記実施例では、付録物としてＶＲゴーグル３０を例に取り説明したが、これに限らず、封筒２内に封入する書類とは別に消費者に提供される全ての書類や物品等を含む。
【００５４】
また、包装体１の折返片７Ａ〜７Ｄは、組み合わせられることで被覆片６の裏面６ａと全面に対向する保持面部１２を構成する形状に限らず、例えば被覆片６の４辺より内側に封筒２との糊代を構成する分だけ短い幅で形成されてもよい。
【００５５】
また、折返片７Ａ〜７Ｄは封筒２への貼着により、移動がそれぞれ規制されるため、保持面部１２の形状を保持する折返片７Ａ〜７Ｄを係合させる構成を省略してもよい。
【００５６】
また、包装体１の折返片７Ａ〜７Ｄの係合構造は、保持面部１２の形状を保持できれば前記実施例の構成に限らないことはいうまでもない。
【００５７】
また、包装体１は封筒２の外側に張り出さない形状であれば矩形状に限らず円形等の別の形状であってもよい。
【００５８】
また、包装体１を貼着する封筒２についても、定形規格サイズの封筒に限らず、定形外郵便で配送可能な範囲で特殊な形状であってよい。
【符号の説明】
【００５９】
１                包装体
２                封筒
２ａ              裏面
３                フラップ
４                開口
５                紙片
５ａ〜５ｄ        折辺
６                被覆片
６ｂ              被覆片本体
６ａ              被覆片裏面
７Ａ〜７Ｄ        折返片
７ｅ              折返片外面
８                片本体
９                切欠
１０              係合片部
１１              係合片部
１２              保持面部
１３              隙間
１４Ａ〜１４Ｃ    表示
１５              折線
１６              ミシン目
１７              縦辺
１８，１８        第１横辺
１９，１９        斜辺
２０，２０        第２横辺
２１              開封部
２２              把持部
２３              表示
２４              窓部
３０              ゴーグル
３２              スマートフォン
３３，３３        レンズ
３４              二次元バーコード
３５              対応表
３６              早見表
３７              シール
４０              両面テープ
【図１】
2019099219.tif 000003
【図２】
2019099219.tif 000004
【図３】
2019099219.tif 000005
【図４】
2019099219.tif 000006
【図５】
2019099219.tif 000007
【図６】
2019099219.tif 000008
【図７】
2019099219.tif 000009
【図８】
2019099219.tif 000010
【図９】
2019099219.tif 000011
【図１０】
2019099219.tif 000012
【図１１】
2019099219.tif 000013